(57)【要約】      （修正有）【課題】既存のヘルメットや帽子本体に変更を加えること無く、容易に誰もが適用可能で、材料コストも安価で、且つ、水道水補給により短時間に簡単に吸水冷却剤への給水が可能で、且つ、炎天下でも安全、且つ、快適に作業やスポーツができる給水冷却式帽子を提供する。【解決手段】帽子本体と、該帽子本体と頭部間に挟着して、頭部の冷却、及び、吸水タンクとなる吸水冷却剤２と、該吸水冷却剤を入れて散乱防止や適正位置を保持するための網状袋１と、吸水冷却剤と頭部間に挟着して水滴落下を防止し、且つ、着用者の不快感や臭気を防止するために、水分を均一に浸透させて、頭部及び首後部を蒸発・気化冷却する水滴保護・蒸発気化冷却用布カバー３から成るものである。【選択図】図２
0003167397.tif 000002
【実用新案登録請求の範囲】
【請求項１】
炎天下での建設工事や土木工事、又、山林消火・軍事、農業、道路警備、スポーツ、レジャー等、様々な作業や運動に使用するヘルメット及び帽子等の頭部を冷却して熱中症を防止するための、熱中症対策用の帽子であって、該帽子は帽子本体（Ｃ）と、帽子本体（Ｃ）と頭部（Ｈ）間に挟着して、頭部の冷却、及び、吸水タンクとなる吸水冷却剤（２）と、吸水冷却剤（２）を入れて散乱防止や適正位置を保持するための網状袋（１）と、吸水冷却剤（２）と頭部間に挟着して水滴落下を防止し、且つ、着用者の不快感や臭気を防止するために、水分を均一に浸透させて、頭部及び首後部を蒸発・気化冷却する日避け・水滴保護・蒸発気化冷却用布カバー（３）から成る事を特徴とする給水冷却式帽子。
【考案の詳細な説明】
【技術分野】
【０００１】
この考案は、真夏の炎天下での建設工事や土木工事、又、山林消火・軍事、農業、道路警備等、様々な作業に使用するヘルメット及びスポーツやレジャー等で使用する帽子等の頭部及び首後部を蒸発・気化冷却して熱中症を防止するための給水冷却式帽子に関するものである。
【背景技術】
【０００２】
本来、ヘルメットや帽子は作業者又は運動する人が安全、且つ、快適に作業や運動をする為に使用するものであるが、真夏の炎天下でヘルメット及び帽子を着用しての作業や運動は非常に厳しいものがある。特に、鉄板屋根や屋上のコンクリート上等、気温が４０℃〜５０℃を超える作業現場では、想像を超える暑さが続く中での作業は短時間で体内の水分や塩分を放出して、頭痛・めまい・倦怠・意識消失・痙攣・高所落下事故等を引き起こしたりする熱中症にかかり易い。
【０００３】
そこで、気温が３５℃を超える作業現場等でも、安全、且つ、快適に農作業やスポーツ練習等が可能な給水冷却式帽子の早期開発・提供が望まれている。又、本考案者は外気温５０℃〜６０℃のサウジアラビアにおいて、屋外作業中に考案し、実際に実験的に使用してみて最良の効果を得ている。更に、高温下のマラソン選手が、頭を水で濡らして走る様子をテレビ等で良く見かけるように、誰もが周知の事である。
【先行技術文献】
【特許文献】
【０００４】
これまでに出願されている給水冷却式帽子（又はヘルメット）に関連した特許文献を参考の為、紹介する。（特許文献１〜３参照。）
【特許文献１】特許公開２００５−０４２２６１
【特許文献２】実用公開平０６−０４２９２８
【特許文献３】登録実用新案第３１５６６１７号
【考案の概要】
【考案が解決しようとする課題】
【０００５】
そこで、上記課題を解決する為に、この考案は既存のヘルメットや帽子本体に変更を加えること無く、容易に誰もが適用可能で、材料コストも安価で、且つ、水道水補給により短時間に簡単に吸水冷却剤への給水が可能で、且つ、炎天下でも安全、且つ、快適に作業やスポーツができる給水冷却式帽子を開発・提供する事にある。
【課題を解決するための手段】
【０００６】
この課題を解決するための手段として、帽子本体と、帽子本体と頭部間に挟着して、頭部の冷却、及び、吸水タンクとなる吸水冷却剤と、吸水冷却剤を入れて散乱防止や適正位置を保持するための網状袋と、吸水冷却剤と頭部間に挟着して水滴落下を防止し、且つ、着用者の不快感や臭気を防止するために、水分を均一に浸透させて、頭部及び首後部を蒸発・気化冷却する水滴保護・蒸発気化冷却用布カバーから成るものである。
【考案の効果】
【０００７】
この考案の効果として、帽子本体と、帽子本体と頭部間に挟着して、頭部の冷却、及び、吸水タンクとなる吸水冷却剤と、吸水冷却剤を入れて散乱防止や適正位置を保持するための網状袋と、吸水冷却剤と頭部間に挟着して水滴落下を防止し、且つ、着用者の不快感や臭気を防止するために、水分を均一に浸透させて、頭部及び首後部を蒸発・気化冷却する水滴保護・蒸発気化冷却用布カバーから成ることで、既存のヘルメットや帽子に変更を加えること無く、容易に誰もが適用可能で、且つ、短時間に簡単に吸水冷却剤の交換が可能で、且つ、炎天下でも快適且つ安全に作業・スポーツができる等、極めて有益なる効果を奏するものである。
【図面の簡単な説明】
【０００８】
【図１】この考案の一実施例を示し、ヘルメットに適用時の側面図である。
【図２】この考案の使用例を示し、ヘルメット適用時の使用状態を示す側面図である。
【図３】その他の実施例を示し、（Ａ）は布製帽子に適用時の平面図で、（Ｂ）は側面図である。
【図４】その他の実施例を示し、布製帽子に適用時の正面視断面図である。
【図５】その他の実施例を示し、布製帽子と日避け・水滴保護・蒸発気化冷却用布カバーを組み合わせて適用時の正面視断面図である。
【考案を実施するための形態】
【０００９】
この考案を実施するための形態として、炎天下での建設工事や土木工事、又、山林消火・軍事等、様々な作業に使用するヘルメット及び帽子等の頭部を冷却して熱中症を防止するための、熱中症対策用の帽子であって、該帽子は帽子本体（Ｃ）と、帽子本体（Ｃ）と頭部（Ｈ）間に挟着して、頭部を冷却する吸水冷却剤（２）と、吸水冷却剤を入れて散乱防止や適正位置を保持するための網状袋（１）と、吸水冷却剤（２）と頭部間に挟着して水滴落下を防止し、且つ、着用者の不快感や臭気を防止するために、水分を均一に浸透させて、頭部及び首後部を蒸発・気化冷却する日避け・水滴保護・蒸発気化冷却用布カバー（３）から成る事を特徴とする給水冷却式帽子から構成される
【実施例１】
【００１０】
そこで、この考案の一実施例を図１〜図２に基づいて詳述すると、まず、図１に示す吸水冷却剤（２）は生け花等で使用されている吸水スポンジ（フローラルフォーム）を使用する。そして、吸水スポンジをヘルメットの底部に入る最適な大きさに適宜分断し、且つ、網状袋（１）に均等になるよう満遍なく入れる。そして、ヘルメットに適用するときは、図１に示すようにヘルメット本体（Ｃ）の底部に係着された衝撃吸収用ライナー（Ｃ１）を取り外し、網状袋（１）に入れた吸水冷却剤（２）をヘルメットの底部に均等に装着し、その上から、一端取り外した衝撃吸収用ライナー（Ｃ１）を再度係止する。
【００１１】
そして、更に衝撃吸収用ライナー（Ｃ１）の周囲に設けられた複数の係止用釦（Ｃ１'）部にヘッドバンド（Ｃ２）と顎バンド（Ｃ３）をそれぞれ係止し、且つ、衝撃吸収用ライナー（Ｃ１）の下面部に日避け・水滴保護・蒸発気化冷却用布カバー（３）を被覆し、面ファスナー（Ｆ）が縫着された複数の係止部材（３ａ）をヘッドバンド（Ｃ２）部に巻き付けるようにして面ファスナー（Ｆ）でそれぞれ固着する。
【００１２】
続いて、使用時の取り扱い方法について説明すると、図２に示すようにヘルメットの内部に設けた衝撃吸収用ライナー（Ｃ１）及びヘッドバンド（Ｃ２）と顎バンド（Ｃ３）と日避け・水滴保護・蒸発気化冷却用布カバー（３）をそれぞれ取り外し、水を自然吸水による充満させた吸水冷却剤（２）をヘルメットの内面底部に挟着し、且つ、一端取り外した衝撃吸収用ライナー（Ｃ１）及びヘッドバンド（Ｃ２）と顎バンド（Ｃ３）と日避け・水滴保護・蒸発気化冷却用布カバー（３）を、取り外した時の逆の手順で、再度、ヘルメット本体（Ｃ）に取り付ける。
【００１３】
そして、使用者の頭部に給水冷却式帽子（ヘルメット）を被せ、顎バンドを顎部にしっかり固定する。
【００１４】
そして、作業中の飲水時又は休憩時を利用して、その都度、吸水冷却剤（２）に水道水等の吸水による自然給水で水を補給しながら作業を行う。
【００１５】
又、上記（００１０）の吸水冷却剤（２）については、吸水スポンジ（フローラルフォーム）に限定するものではなく、例えば市販品又は付属品の保冷材等を網袋に入れて使用しても構わない。
【００１６】
又、上記の日避け・水滴保護・蒸発気化冷却用布カバー（３）についても、限定するものではなく、例えば、市販の日よけ用布製頭巾又はタオル等を使用しても構わない。
【００１７】
更に、日避け・水滴保護・蒸発気化冷却用布カバー（３）を使用する際に、万が一、首元後部の日避け・水滴保護・蒸発気化冷却用用布が邪魔になる場合には、布をヘルメット後部にまくり上げて、紐又はバンド等の係止部材で固定して使用する事も可能である。
【００１８】
又、上記日避け・水滴保護・蒸発気化冷却用布カバー（３）をヘルメットに係止する方法については、面ファスナーに限定するものではなく、例えば市販のクリップ等で係止しても構わない。
【実施例２】
【００１９】
その他の実施例として、例えば通常のスポーツやレジャー等で使用する布製の帽子（Ｃ'）に吸水冷却剤（２'）を使用する場合は、図３・図４に示すように、市販の布製帽子の内周縁部と吸水冷却剤（２'）を帽子内面底部に固定保持するため逆袋状に形成した網目状の吸水冷却剤保持用サポーター（Ｃ１"）を設け、且つ、該水冷却剤保持用サポーターの外周縁部の上下に、面ファスナー（Ｆ）を複数箇所それぞれ縫着又は接着し、且つ、帽子内面底部と吸水冷却剤保持用サポーター間に吸水冷却剤（２'）を入れて保持するための水冷却剤保持用サポーター（Ｃ１"）を上部側の複数の面ファスナー（Ｆ）を使用して固着する。
【００２０】
そして、更に吸水冷却剤保持用サポーター（Ｃ１"）の下面部に、逆袋状に形成した日避け・水滴保護・蒸発気化冷却用布カバー（３'）を、帽子内面縁部に複数設けた下側の短尺面ファスナー、又は、単数の長尺面ファスナー（Ｆ）をそれぞれ使用して固着する。
【００２１】
使用する際は、ヘルメットの場合と同様に、予め水を充満させ、袋詰めした吸水冷却剤（２'）を帽子内面底部と吸水冷却剤保持用サポーター間に挟着し、且つ、吸水冷却剤保持用サポーター（Ｃ１"）の下面部に日避け・水滴保護・蒸発気化冷却用布カバー（３'）を被覆し、更に帽子内周面下部に設けた複数の短尺面ファスナー、又は、単数の長尺面ファスナー（Ｆ）でそれぞれ固着して使用する。
【００２２】
更に、図５に示すように、幼稚園児等が運動時に使用している通常の布製帽子に吸水冷却剤（２'）を設けた給水冷却式帽子と、ノレン型首周りの日避け・水滴保護・蒸発気化冷却用布カバー（３"）を組み合わせて使用しても構わない。
【産業上の利用可能性】
【００２３】
この考案の給水冷却式帽子は、既存のヘルメットや帽子に変更を加えること無く、容易に誰もが適用可能で、且つ、短時間に簡単に吸水冷却剤の交換が可能で、且つ、炎天下でも快適に作業ができる為、多くの建設工事・土木工事・防災・軍事・スポーツ・道路警備等に携わる関係市場に寄与するため、産業上の利用（利便性と安全性等）可能性を有する。
【符号の説明】
【００２４】
１  網状袋（ヘルメット用）
２  吸水冷却剤（ヘルメット用）
３  日避け・水滴保護・蒸発気化冷却用布カバー（ヘルメット用）
３ａ  係止部材（ヘルメット用）
１'  網状袋（通常帽子用）
２'   吸水冷却剤（通常帽子用）
３'  日避け・水滴保護・蒸発気化冷却用布カバー（通常帽子用）
３"  ノレン型日避け・水滴保護・蒸発気化冷却用布カバー（通常帽子用）
Ｃ  帽子本体（ヘルメット時）
Ｃ'  帽子本体（通常の帽子時）
Ｃ１  衝撃吸収用ライナー（ヘルメット用）
Ｃ１'  係止用釦
Ｃ１"  吸水冷却剤保持用サポーター
Ｃ２  ヘッドバンド（ヘルメット用）
Ｃ３  顎バンド（ヘルメット用）
Ｆ  面ファスナー
Ｈ  頭部
Ｍ  使用者
【図１】
0003167397.tif 000003
【図２】
0003167397.tif 000004
【図３】
0003167397.tif 000005
【図４】
0003167397.tif 000006
【図５】
0003167397.tif 000007